(57)【要約】【課題】小窓枠に専用スペースを設けることなく網戸を容易に取付けることができると共に、網戸の脱落を簡単な操作で容易に防止することができる開口部装置を提供する。【解決手段】建物の開口に設けられる四方枠２と、該四方枠２内に設けられた障子３，４と、該障子３，４に設けられた換気小窓５とを備え、該換気小窓５は、上桟８ａ、下桟８ｂ及び左右の縦桟８ｃ，８ｄからなる小窓枠８を有し、該小窓枠８内に半分の領域を遮蔽する固定ガラス１６と、他の半分の領域をスライド開閉自在に遮蔽する可動ガラス１７とを設けると共に室外側に網戸３４を設け、該網戸３４は上部と下部に突起部３５ａ，３５ｂを有し、上記上桟８ａ及び下桟８ｂにその突起部３５ａ，３５ｂを上下けんどん式に嵌合保持する保持溝３６ａ，３６ｂを設け、網戸３４又は小窓枠８に網戸３４の上下移動を規制する外れ止め部材３７を設けている。【選択図】図８
2007162378.tif 000002
【特許請求の範囲】
【請求項１】
建物の開口に設けられる四方枠と、該四方枠内に設けられた障子と、該障子に設けられた換気小窓とを備え、該換気小窓は、上桟、下桟及び左右の縦桟からなる小窓枠を有し、該小窓枠内に半分の領域を遮蔽する固定ガラスと、他の半分の領域をスライド開閉自在に遮蔽する可動ガラスとを設けると共に室外側に網戸を設け、該網戸は上部と下部に突起部を有し、上記上桟及び下桟にその突起部を上下けんどん式に嵌合保持する保持溝を設け、網戸又は小窓枠に網戸の上下移動を規制する外れ止め部材を設けたことを特徴とする開口部装置。
【発明の詳細な説明】
【技術分野】
【０００１】
本発明は、開口部装置に係り、特に換気小窓を備えた開口部装置に関する。
【背景技術】
【０００２】
開口部装置としては、障子に換気小窓を設けたサッシが知られている（例えば特許文献１、特許文献２参照）。この種の換気小窓は、例えば上桟、下桟及び左右の縦桟からなる小窓枠を有し、この小窓枠内にその半分の領域を遮蔽する固定ガラスと、他の半分の領域をスライド開閉自在に遮蔽する可動ガラスとを設けて構成されている。
【０００３】
このような換気小窓においては、開放部からの虫の侵入を防止するために網戸を取付けることが好ましい。網戸は、例えば小窓枠の室外側に嵌め込み式により取付けられることになる。
【０００４】
【特許文献１】特許第２５９３０５８号公報
【特許文献２】特開昭６３−１６５０７１号公報
【発明の開示】
【発明が解決しようとする課題】
【０００５】
しかしながら、上記サッシにおける換気小窓においては、それ自体が障子と共に移動するため、固定側であるサッシ枠に取付けられる網戸に比して、小窓枠に取付けられる網戸の方が納まり上の制約を受け易いだけでなく、障子開閉時の衝撃により障子が小窓枠から脱落し易いという問題がある。因みに、網戸自体を上下けんどん式に小窓枠内に嵌め込む構造とする場合、小窓枠内に網戸の厚さ分の専用スペースを設ける必要がある。また、網戸の脱落を防止する対策として、例えば網戸をネジで固定しなければならず、手間がかかるという問題がある。
【０００６】
本発明は、上記事情を考慮してなされたものであり、小窓枠に専用スペースを設けることなく網戸を容易に取付けることができると共に、網戸の脱落を簡単な操作で容易に防止することができる開口部装置を提供することにある。
【課題を解決するための手段】
【０００７】
上記目的を達成するために、本発明は、建物の開口に設けられる四方枠と、該四方枠内に設けられた障子と、該障子に設けられた換気小窓とを備え、該換気小窓は、上桟、下桟及び左右の縦桟からなる小窓枠を有し、該小窓枠内に半分の領域を遮蔽する固定ガラスと、他の半分の領域をスライド開閉自在に遮蔽する可動ガラスとを設けると共に室外側に網戸を設け、該網戸は上部と下部に突起部を有し、上記上桟及び下桟にその突起部を上下けんどん式に嵌合保持する保持溝を設け、網戸又は小窓枠に網戸の上下移動を規制する外れ止め部材を設けたことを特徴とする。
【発明の効果】
【０００８】
本発明によれば、建物の開口に設けられる四方枠と、該四方枠内に設けられた障子と、該障子に設けられた換気小窓とを備え、該換気小窓は、上桟、下桟及び左右の縦桟からなる小窓枠を有し、該小窓枠内に半分の領域を遮蔽する固定ガラスと、他の半分の領域をスライド開閉自在に遮蔽する可動ガラスとを設けると共に室外側に網戸を設け、該網戸は上部と下部に突起部を有し、上記上桟及び下桟にその突起部を上下けんどん式に嵌合保持する保持溝を設け、網戸又は小窓枠に網戸の上下移動を規制する外れ止め部材を設けているため、小窓枠に専用スペースを設けることなく網戸を容易に取付けることができると共に、網戸の脱落を簡単な操作で容易に防止することができる。
【発明を実施するための最良の形態】
【０００９】
以下に、本発明を実施するための最良の形態について、添付図面を基に詳述する。図１は本発明を引違いサッシに適用した第１の実施の形態を示す室内側正面図、図２の（ａ）は図１のＡ−Ａ線断面図、（ｂ）は図１のＢ−Ｂ線断面図、図３は換気小窓を示す図で、（ａ）は可動ガラス開放時の横断面図、（ｂ）は可動ガラス閉鎖時の横断面図である。
【００１０】
これらの図において、１は開口部装置の一例である引違いサッシで、このサッシ１は建物の開口に設けられる上枠２ａ、下枠２ｂ及び左右の縦枠２ｃ，２ｄからなる四方枠２と、この四方枠２内に設けられた内外の障子３，４と、該障子例えば一方の障子（図示例では内障子）３に設けられた換気小窓５とを備えている。一般的に障子は、例えば内障子３を用いて説明すると、上框６ａ、下框６ｂ及び左右の縦框（例えば召合せ框と戸先框）６ｃ，６ｄからなる四方框６内にガラス７を装着してなる。この障子３の上部に換気小窓５が設けられている。この内障子３の上部に換気小窓５を設けるために、両縦框６ｃ，６ｄ間の上方には中横桟８ｂが掛け渡されている。この中横桟８ｂ、下框６ｂ及び左右の縦框６ｃ、６ｄで囲まれた領域にガラス７がビード９を介して装着されている。
【００１１】
換気小窓５は、上桟８ａ、下桟である中横桟８ｂ及び左右の縦桟８ｃ，８ｄからなる小窓枠８を有している。この小窓枠８内には半分（図１では左半分）の領域を遮蔽する固定ガラス１６と、他の半分（同右半分）の領域をスライド開閉自在に遮蔽する可動ガラス１７とが設けられている。
【００１２】
小窓枠８内の室内側の幅方向略中間部には、上桟８ａと中横桟（下桟）８ｂ間に召合せ部材１０が上下（縦）に掛け渡されている。また、小窓枠８内の室外側の幅方向略中間部には、上記召合せ部材１０と対応した位置に召合せ部材１０と略同じ幅の外カバー部材１１が上桟８ａと中横桟８ｂ間に上下に掛け渡されている。召合せ部材１０と外カバー部材１１は、上桟８ａと中横桟８ｂの対向面に形成した切欠部（図示省略）に上下端部をそれぞれ差し込むことにより保持されている。上記四方枠２の枠材、障子３，４の框材、換気小窓５の桟材、召合せ部材１０及び外カバー部材１１は、例えばアルミ押出形材からなっている。上桟８ａの上部には上框６ａの下部に形成された断面逆Ｕ字状の凹部１２に嵌合する凸状の上部嵌合部１３が形成され、縦桟８ｃ，８ｄの外側部には縦框６ｃ，６ｄの内側部に形成された断面略Ｕ字状の凹部１４に嵌合する凸状の側部嵌合部１５が形成されている。
【００１３】
小窓枠８内の召合せ部材１０で仕切られた一方の領域（図示例では左側）の室内側には嵌め殺しの固定ガラス１６が嵌め込んで設けられ、小窓枠８内の室外側には可動ガラス１７が横方向にスライド開閉自在に設けられている。小窓枠８内の召合せ部材１０で仕切られた他方の領域（図示例では右側）の開口周縁部には閉鎖時の可動ガラス１７の室内面に室内側から当接する気密材１８が設けられている。気密材１８は上記領域の開口の内周に形成された溝に装着されている。一方の領域の開口周縁部には固定ガラス１６の室内側周縁部に室内側から当接するガラス押さえ用のビード１９が設けられている。
【００１４】
上記中横桟８ｂには上記固定ガラス１６と可動ガラス１７を装着するガラス溝２０ａ，２０ｂがあり、該ガラス溝２０ａ，２０ｂの下端とガラス１６，１７の下端との間には空間２１ａ，２１ｂがあり、この空間２１ａ，２１ｂから室外に連通する排水孔２２ａ，２２ｂが設けられている。室内側及び室外側の下部のガラス溝２０ａ，２０ｂの深さは例えば１５ｍｍ程度と深く形成され、雨水を溜める容量を大きくしてある。室内側の下部のガラス溝２０ａには固定ガラス１６を所定高さ位置に保持するスぺーサ２３が取付けられている。
【００１５】
室外側の上部と下部のガラス溝２０ｂには可動ガラス１７をがたつかないように所定高さ位置でスライド開閉可能に支持するガイド部材２４ａ，２４ｂが取付けられている。ガイド部材２４ａ，２４ｂは、例えば合成樹脂製であることが好ましい。ガイド部材２４ａ，２４ｂは、上桟８ａ又は中横桟（下桟）８ｂの後述する補助形材２５に形成された取付溝部２６ａ，２６ｂに嵌合されると共に可動ガラス１７の上端又は下端をスライド可能に支持する基部２４ｘと、この基部２４ｘから立ち上がり可動ガラス１７の室外面をスライド可能に支持する立ち上がり片２４ｙとを有している。
【００１６】
上記室内側の下部のガラス溝２０ａの室外側溝壁には当該ガラス溝２０ａ内に入る雨水や結露水を外部に排水するための排水孔２２ａが室外側の下部のガラス溝２０ｂと連通するように設けられている。室外側の下部のガラス溝２０ｂの底部には当該ガラス溝２０ｂ内に入る雨水や結露水を外部に排水するための排水孔２２ｂが外部と連通するように設けられている。なお、上記排水孔２２ａ，２２ｂの加工が困難であるため、室外側の下部のガラス溝２０ｂは、断面略Ｌ字状の形材２５を中横桟８ｂに係合とネジ（固着具）止めにより着脱可能に取付けることにより構成されている。
【００１７】
上記召合せ部材１０には可動ガラス１７を閉鎖位置で施錠する締り具２６が設けられ、該締り具２６は解錠状態で可動ガラス１７よりも室内側に引っ込み、施錠状態で召合せ部材１０側から可動ガラス１７の可動領域まで突出するストッパー２７を有している。ストッパー２７には回動により可動ガラス１７を閉鎖方向に押すカム部２８が設けられている。ストッパー２７は室内外方向に軸心を向けた回動軸２７ａの先端（室外側）に鉤部２７ｂを直角に形成してなり、その回動軸２７ａには鉤部２７ｂの向く方向に偏心した上記カム部２８が設けられている。
【００１８】
可動ガラス１７の左右の端部が開閉時に入り込めるように両縦桟８ｃ，８ｄの対向面には溝が形成され、該溝内には可動ガラス１７の端部を少なくとも閉鎖時（図示例では閉鎖時だけでなく開放時も）に室内側に引き寄せるための傾斜面を有する引き寄せ部材３０が設けられている。可動ガラス１７の室内面における戸先側には可動ガラスを開閉操作するための引手部３１が凹溝状に形成されている。
【００１９】
上記締り具２６は、召合せ部材１０の室内面の上下方向略中間位置にネジ止め等により軸心を室内外方向に向けて取付けられた円筒状のケース３２と、該ケース３２内にその軸回りに回動可能及び軸心に沿って前後方向（室内外方向）に摺動可能に嵌合され室内側端部に操作摘み３３ａを有する円筒状の操作部３３と、該操作部３３を室内方向に付勢する図示しないバネとを備えている。
【００２０】
小窓枠８内の室外側、更に詳しくは、小窓枠８内の外カバー部材１１で仕切られた一方の領域（図示例では右側）の室外側には網戸３４が嵌め込んで設けられている。この網戸３４は、上部と下部に突起部３５ａ，３５ｂを有し、上記上桟３ａ及び横中桟（下桟）８ｂにその突起部３５ａ，３５ｂを上下けんどん式に嵌合保持する保持溝３６ａ，３６ｂが設けられている。また、網戸３４又は小窓枠８、本実施の形態では網戸３４には、網戸３４の上下移動を規制する外れ止め部材３７が設けられている。
【００２１】
上記網戸３４は、上框３８ａ、下框３８ｂ及び左右の縦框３８ｃ，３８ｄからなる四方框（框体）３８と、この四方框３８に張設された網体３９とから主に構成されている。四方框３８の外周部、すなわち上框３８ａ、下框３８ｂ及び左右の縦框３８ｃ，３８ｄの外縁部には、断面Ｕ字状の溝部４０，４１，４２，４３が各長手方向に形成されている。上框３８ａ及び下框３８ｂにおいては、溝部４０，４１の室内側側片部４０ａ，４１ａにその立ち上がり高さが高くなるように突起部３５ａ，３５ｂが形成されている。左右の縦框３８ｃ，３８ｄにおいては、溝部４２，４３の室外側側片部４２ｂ，４３ｂの立ち上がり高さが室内側側片部４２ａ，４３ａのそれよりも大きく形成されている。
【００２２】
上框３８ａ、下框３８ｂ及び左右の縦框３８ｃ，３８ｄを組み立てるために、四隅には框材の端部同士を接合するためのコーナーピース４４が用いられている。上框３８ａ等の框材は例えばアルミ押出形材からなり、コーナーピース４４は例えば合成樹脂製であることが好ましい。コーナーピース４４は、図５に示すように、上框３８ａ又は下框３８ｂの溝部４０，４１にその端部より挿入嵌合される水平突起部４４ａと、縦框３８ｃ，３８ｄの溝部４２，４３にその端部より挿入嵌合される垂直突起部４４ｂとを有している。なお、上部２隅に配置されるコーナーピースには外れ止め部材３７が設けられるが、下部２隅に配置されるコーナーピース（図示省略）には外れ止め部材は設けられない。
【００２３】
小窓枠８の上桟８ａ、中横桟（下桟）８ｂ、縦桟８ｃ、８ｄ及び外カバー部材１１には、網戸３４を収容するための収容空間４５を区画形成すべく室内側に直角に折り曲げられた区画面４６ａ，４６ｂ，４６ｃ，４６ｄが形成されている。上部の保持溝３６ａは、上部の区画面４６ａとガイド部材２４ａの立ち上がり片２４ｙとの間に形成され、下部の保持溝３６ｂは、下部の区画面４６ｂとガイド部材２４ｂの立ち上がり片２４ｙとの間に形成されている。網戸３４の上下けんどんによる建て込みを可能とするために、網戸３４の上部の突起部３５ａは、下部の突起部３５ｂよりも突出長さ（立ち上がり高さ）が長く形成されている。また、上下の突起部３５ａ，３５ｂ間の寸法が上下の区画面４６ａ，４６ｂ間の寸法よりも長く形成されている。これにより、図７の（ａ）〜（ｃ）及び図８の（ａ）に示すように網戸３４を小窓枠８内の収容空間４５内に上下けんどん式に建て込めるようになっている。
【００２４】
なお、図８の（ａ）に示す状態では、網戸３４が上下に移動可能であるため、障子開閉時の衝撃等で網戸３４が換気小窓５の小窓枠８から脱落するおそれがある。そこで、網戸３４には、その上下移動を規制する外れ止め部材３７が設けられている。この外れ止め部材３７は、網戸３４の上部、例えば図４〜図６に示すように網戸３４の上部２隅に設けられるコーナーピース４４に設けられている。
【００２５】
これらのコーナーピース４４は、上部の溝部４０の室外側側片部４０ｂと室内側側片部４０ａ及び上部突起部３５ａに対応する室外側側片部４４ｃと室内側側片部４４ｄ及び上部突起部４４ｅを有し、その室外側側片部４４ｃと小窓枠８の上部区画面４６ａとの間に介在されるように外れ止め部材３７が設けられている。すなわち、網戸３４をその上下の突起部３５ａ，３５ｂを介して小窓枠８内に上下けんどん式に取付けた場合、図８に示すように、網戸３４の上部の室外側側片部３４ｂと上部区画面４６ａとの間に隙間ｓが発生するため、この隙間ｓに外れ止め部材３７を介在させることにより網戸３４の上方への移動を防止し、もって網戸３４の外れないし脱落を防止するようになっている。
【００２６】
上記外れ止め部材３７は、コーナーピース４４に着脱可能又は起倒可能（回動可能）に設けられていることが好ましい。図示例の場合、外れ止め部材３７には、突軸部４７ａを外側面に有する左右一対のアーム部４７が形成され、コーナーピース４４には、突軸部４７ａが回動可能に嵌合する軸受部４８及びアーム部４７の揺動を許容する溝部４９が形成されている。外れ止め部材３７は、網戸３４の取付け取外し作業時には前方（室外側）に倒されており、左右の外れ止め部材３７を左右の手の指で摘んで網戸３４の取付け作業や取外し作業を容易に行うことができ、網戸３４を取付けたなら、外れ止め部材３７を起こして室外側側片部４４ｃと小窓枠８の上部区画面４６ａとの間に介在させれば良い。なお、コーナーピース４４には、外れ止め部材３７の両アーム部４７間の下部に弾発係止されて外れ止め部材３７を起立状態に保持するための係止片（ストッパー）５０が設けられている。
【００２７】
網戸３４には、室外から室内に侵入する花粉や塵を除去するための換気フィルタ５１が網体３９の室内側に四方框３８によって形成された空間を利用して着脱可能に取付けられている。網戸３４の上框３８ａと下框３８ｂには室内側側片部４０ａ，４１ａと同じ面上で相対向する突条部５２ａ，５２ｂが設けられ、これらの突条部５２ａ，５２ｂと網体３９との間に換気フィルタ５１が挟み込まれて保持されている。換気フィルタ５１は、繊維を織り込んだフェルト状ないしスポンジ状のフィルタ部材からなり、その上下端部を上記網体３９と突条部５２ａ，５２ｂとの間の隙間に挿入することにより容易に脱着可能に取付けられている。
【００２８】
以上の構成からなるサッシ１において、換気小窓５に網戸３４を取付ける場合、左右の外れ止め部材３７を前方に倒した状態にし、これら外れ止め部材３７を両手で摘んで網戸３４を持ち上げ、先ず上部の突起部３５ａを小窓枠８の上部の保持溝３６ａに挿入して網戸３４を収容空間４５内に入れ、次に網戸３４を押し下げて下部の突起部３５ｂを下部の保持溝３６ｂに挿入する。このように網戸３４を小窓枠８内の収容空間４５に上下けんどん式に取付けたなら、外れ止め部材３７を上方に回動起立させてコーナーピース４４の室外側側片部４４ｃと上部区画面４６ａとの間の隙間ｓに嵌入すれば良い。このようにして網戸３４を容易に取付けることができると共に網戸３４の上部の室外側側片部４４ｃと上部区画面４６ａとの間の隙間ｓに外れ止め部材３７を介在させることにより網戸３４の脱落を防止することができる。
【００２９】
このように上記サッシ１によれば、建物の開口に設けられる四方枠６と、該四方枠６内に設けられた障子３，４と、該障子３，４に設けられた換気小窓５とを備え、該換気小窓５は、上桟８ａ、下桟（中横桟）８ｂ及び左右の縦桟８ｃ，８ｄからなる小窓枠８を有し、該小窓枠８内に半分の領域を遮蔽する固定ガラス１６と、他の半分の領域をスライド開閉自在に遮蔽する可動ガラス１７とを設けると共に室外側に網戸３４を設け、該網戸３４は上部と下部に突起部３５ａ，３５ｂを有し、上記上桟８ａ及び下桟８ｂにその突起部３５ａ，３５ｂを上下けんどん式に嵌合保持する保持溝３６ａ，３６ｂを設け、網戸３４又は小窓枠８には網戸３４の上下移動を規制する外れ止め部材３７を設けているため、小窓枠８に専用スペースを設けることなく網戸３４を容易に取付けることができると共に、網戸３４の脱落を簡単な操作ないし構造で容易に防止することができる。
【００３０】
すなわち、内障子３の換気小窓５の室外側に網戸３４を設ける場合、障子３，４の開閉時に網戸３４が外障子４と干渉しないように網戸３４を内障子３の室外面よりも室内側に収める必要があり、この制約の下で網戸３４を例えば上下けんどん式に建て込むようにする場合、網戸３４の上部及び下部を飲み込む（嵌合する）ための厚さ方向（室内外方向）の専用スペースを確保する必要がある。これに対して、本実施の形態のサッシ１においては、網戸３４の上部と下部に突起部３５ａ，３５ｂを有し、上記上桟８ａ及び下桟（中横桟）８ｂにその突起部３５ａ，３５ｂを上下けんどん式に嵌合保持する保持溝３６ａ，３６ｂを設けているため、網戸３４の上部及び下部を飲み込むための専用スペースを設けることなく網戸３４を所定スペース（収容空間４５）内に容易に納めて取付けることができる。
【００３１】
また、網戸３４にその上下移動を規制する外れ止め部材３７を設け、本実施の形態では網戸３４の上部に外れ止め部材３７を上部から室外側に向けて起倒可能（回動可能ないし揺動可能）に設けているため、外れ止め部材３７を倒伏させた状態ではこれを摘んで網戸３４の取付け取外しを容易に行うことができ、網戸３４の取付け後に外れ止め部材３７を起立させて網戸３４の上部の室外側側片部４４ｃと上部区画面４６ａとの間の隙間ｓに外れ止め部材３７を介在させることにより網戸３４の脱落を容易に且つ確実に防止することができる。この場合、外れ止め部材３７が上部のコーナーピース４４の室外側側片部４４ｃと上部区画面４６ａとの間の隙間ｓに収納されるため、見栄えが良く、外れ止め部材３７が外障子４と干渉することもない。網戸３４を取外す場合には、外れ止め部材３７を室外側に倒し、これを摘んで網戸３４を上記上下けんどん式の動作とは逆の動作で容易に取外すことができる。
【００３２】
以上、本発明の実施の形態ないし実施例を図面により詳述してきたが、本発明は上記実施の形態ないし実施例に限定されるものではなく、本発明の要旨を逸脱しない範囲での種々の設計変更等が可能である。例えば、本発明は引違いサッシだけでなく、一方が固定障子（フィックス）で他方が可動障子の片引きサッシにも適用可能である。また、小窓枠の上桟と障子の上框とは、別体で形成されているが、一体に形成されていても良い。気密材を設ける開口周縁部には、開口の一番端だけではなく、例えば召合せ部材の若干中に入った所や、或いは、下枠の上端よりも若干下がった所も含まれる。
【００３３】
上記実施の形態では、換気小窓５の下桟である中横桟８ｂには固定ガラス１６及び可動ガラス１７を装着するガラス溝２０ａ，２０ｂがあり、ガラス溝２０ａ，２０ｂの下端とガラスの下端との間には空間２１ａ，２１ｂがあり、空間２１ａ，２１ｂから室外に連通する排水孔２２ａ，２２ｂが設けられている場合が記載されているが、下桟である中横桟８ｂには可動ガラス１７を装着するガラス溝２０ｂがあり、該ガラス溝２０ｂの下端と可動ガラス１７の下端との間には空間２１ｂがあり、この空間２１ｂから室外に連通する排水孔２２ｂが設けられていても良い。
【００３４】
本発明が適用される換気小窓としては、室外側に固定障子を配置し、室内側に可動障子を配置したものであっても良い。また、上記実施の形態では、外れ止め部材を網戸の上部に起倒可能に設けているが、外れ止め部材は着脱可能に設けられていても良い。更に、上記実施の形態では、外れ止め部材が網戸に設けられているが、外れ止め部材は小窓枠に設けられていても良い。
【図面の簡単な説明】
【００３５】
【図１】本発明を引違いサッシに適用した第１の実施の形態を示す室内側正面図である。
【図２】（ａ）は図１のＡ−Ａ線断面図、（ｂ）は図１のＢ−Ｂ線断面図である。
【図３】換気小窓を示す図で、（ａ）は可動ガラス開放時の横断面図、（ｂ）は可動ガラス閉鎖時の横断面図である。
【図４】換気小窓に取付けられる網戸の要部を示す図で、（ａ）は摘み部収納状態の斜視図、（ｂ）は摘み部突出状態の斜視図である。
【図５】網戸の要部の構造を示す分解斜視図である。
【図６】（ａ）は図５におけるコーナーピースの分解斜視図、（ｂ）はコーナーピースの斜視図である。
【図７】網戸の取付け方法を説明する説明図である。
【図８】網戸の取付け方法を説明する説明図である。
【符号の説明】
【００３６】
１  サッシ（開口部装置）
２  四方枠
３，４  障子
５  換気小窓
８  小窓枠
８ａ  上桟
８ｂ  下桟（中横桟）
８ｃ、８ｄ  縦桟
３４  網戸
３５ａ，３５ｂ  突起部
３６ａ，３６ｂ  保持溝
３７  外れ止め部材
【図１】
2007162378.tif 000003
【図２】
2007162378.tif 000004
【図３】
2007162378.tif 000005
【図４】
2007162378.tif 000006
【図５】
2007162378.tif 000007
【図６】
2007162378.tif 000008
【図７】
2007162378.tif 000009
【図８】
2007162378.tif 000010